(57)【特許請求の範囲】
【請求項１】
エレベータの乗場敷居とその下の階の乗場ヘッダーとの間に配置されるフェッシャープレート部材からなるフェッシャープレートであって、
互いに隣接する側面部同士が連結されることで横方向に繋がる複数枚のフェッシャープレート部材を備え、
前記側面部の一方は、係止用の開口部を有し、
前記側面部の他方は、前記開口部に挿通されて前記側面部同士の相対移動により前記開口部の周囲部に係止するクリップ構造部を有し、
前記フェッシャープレート部材は、前記側面部を構成する折れ曲がり部を有し、
前記開口部は、前記折れ曲がり部からフェッシャープレート部材正面側に跨って形成されており、
前記クリップ構造部は、前記折れ曲がり部そのものが加工されることで形成され、該加工によって前記折れ曲がり部に形成された開口の縁に連続していることを特徴とするフェッシャープレート。
【請求項２】
エレベータの乗場敷居とその下の階の乗場ヘッダーとの間に配置されるフェッシャープレート部材からなるフェッシャープレートであって、
互いに隣接する側面部に折れ曲がり部を有するフェッシャープレート部材と、前記折れ曲がり部同士を挟持することで前記フェッシャープレート部材を横方向に連結するクリップ部材とを備え、
前記クリップ部材は、一方の前記フェッシャープレート部材の前記折れ曲がり部の挟持外側から当接する一方側延出し部と、他方のフェッシャープレート部材の前記折れ曲がり部の挟持外側から当接する他方側延出し部と、前記一方側延出し部と前記他方側延出し部とに連続する連続部とを備え、
一方の前記フェッシャープレート部材の前記側面部は、乗りかご側から前記一方側延出し部が挿通され得る一方側開口部と、前記一方側開口部に連通して下方へ延び出す一方側切欠部とを備え、
他方の前記フェッシャープレート部材の前記側面部は、乗りかご側から前記他方側延出し部が挿通され得る他方側開口部と、前記他方側開口部に連通して下方へ延び出す他方側切欠部とを備え、
前記クリップ部材は、前記一方側切欠部と前記他方側切欠部とを経由して下方の収納位置にスライド移動可能となっていることを特徴とするフェッシャープレート。
【発明の詳細な説明】
【技術分野】
【０００１】
本発明の実施形態は、エレベータのフェッシャープレートに関する。
【背景技術】
【０００２】
エレベータでは、安全対策の一つとして、運転中に異常が発生して乗りかごが階間に停止した際に、乗客が誤ってかごドアを開けても乗りかごと昇降路内壁との隙間から乗客が落下しないように、乗りかごの敷居と昇降路内壁との距離が一定以上である場合にフェッシャープレートを昇降路内に設けることが義務付けられている（例えば特許文献１参照）。
【先行技術文献】
【特許文献】
【０００３】
【特許文献１】特開平03-018579号公報
【発明の概要】
【発明が解決しようとする課題】
【０００４】
ところで、このようなフェッシャープレートでは、建物毎に異なる各階間距離やエレベータ出入口の幅に応じて長さや幅を異ならせる必要がある。このため、フェッシャープレートを製造する際、建物に合わせてプレート材の長さを指定して製造している。従って、建物毎に長さの異なるフェッシャープレートをその都度製造しており、大量生産することやストックしておくことが難しい。
【０００５】
また、複数枚のフェッシャープレートを連結する際、どのフェッシャープレートが建物のどの部位に配置されるかが据え付け現場で作業員に判り難く、据え付けに時間がかかる。
【０００６】
更に、複数枚のフェッシャープレート同士を据え付け現場で連結するにはボルト、ナットなどの締結具を使用する必要があるため、据え付けに時間がかかる。
【０００７】
本発明は上記課題に鑑みてなされたものであり、据え付け作業の時間を短縮できるフェッシャープレートを提供することを課題とする。
【課題を解決するための手段】
【０００８】
本発明の実施形態に係るフェッシャープレートは、エレベータの乗場敷居とその下の階の乗場ヘッダーとの間に配置されるフェッシャープレート部材からなるフェッシャープレートである。フェッシャープレートは、互いに隣接する側面部同士が連結されることで横方向に繋がる複数枚のフェッシャープレート部材を備える。側面部の一方は、係止用の開口部を有し、側面部の他方は、この開口部に挿通されて側面部同士の相対移動により上記開口部の周囲部に係止するクリップ構造部を有する。
【図面の簡単な説明】
【０００９】
【図１】第１実施形態のフェッシャープレートを示す斜視図。
【図２】第１実施形態でフェッシャープレート部材の側面部同士を横方向に連結することを説明する斜視図。
【図３】第１実施形態の変形例で、フェッシャープレート部材の側面部同士を横方向に連結することを説明する斜視図。
【図４】第２実施形態でフェッシャープレート部材の側面部同士を横方向に連結することを説明する拡大斜視図。
【図５】第２実施形態でフェッシャープレート部材の側面部同士を横方向に連結したことを説明する拡大正面図であり、図４から連結した後の矢視Ａ−Ａの部分側面図。
【図６】第３実施形態でフェッシャープレート部材の側面部同士を横方向に連結することを説明する拡大斜視図。
【図７】第４実施形態でフェッシャープレート部材の側面部同士を横方向に連結することを説明する拡大斜視図。
【図８】第４実施形態でフェッシャープレート部材の側面部同士を横方向に連結することを説明する拡大平面断面図であり、図７の矢視Ｂ−Ｂの部分平面断面図。
【図９】第５実施形態でフェッシャープレート部材の側面部同士を横方向に連結することを説明する拡大斜視図。
【図１０】第５実施形態でフェッシャープレート部材の側面部同士を横方向に連結したことを説明する拡大平面断面図であり、図９の矢視Ｃ−Ｃの部分平面断面図。
【発明を実施するための形態】
【００１０】
以下に、添付図面を参照して、実施形態に係るフェッシャープレートを説明する。なお、第２実施形態以下では、既に説明した構成要素と同一または類似のものには同じ符号を付してその説明を適宜に省略している。
【００１１】
［第１実施形態］
まず、第１実施形態を説明する。図１は、本実施形態のフェッシャープレートを示す斜視図である。図２は、本実施形態でフェッシャープレート部材の側面部同士を横方向に連結することを説明する斜視図である。
【００１２】
本実施形態のフェッシャープレート１０は、エレベータの乗場敷居Ｔとその下の階の乗場ヘッダー（ヘッダーケース。乗場ドア６、８の上側を覆っていて、乗場ドア６、８に駆動力を伝達する部材）Ｈとの間に配置され、横方向に互いに連結（嵌合）される２枚のフェッシャープレート部材、すなわち、フェッシャープレート部材１２（乗りかご側から見て右側のフェッシャープレート部材）とフェッシャープレート部材１４（乗りかご側から見て左側のフェッシャープレート部材）とで構成される。
【００１３】
そして、フェッシャープレート部材１２の側面部１２ｉとフェッシャープレート部材１４の側面部１４ｉとが互いに隣接している。そして、本実施形態では、側面部１２ｉに形成された折れ曲がり部１２ｃと、側面部１４ｉに形成された折れ曲がり部１４ｃとが互いに連結されることでフェッシャープレート部材１２、１４は横方向に繋がっている。
【００１４】
フェッシャープレート部材１２の折れ曲がり部１２ｃは、係止用の開口部１２ｍを有する。そして、フェッシャープレート部材１４の折れ曲がり部１４ｃは、開口部１２ｍに挿通されて側面部１２ｉ、１４ｉの上下方向への相対移動により開口部１２ｍの周囲部１２ｎに係止するクリップ構造部１４ｋを有する。なお、クリップ構造部１４ｋの先端部１４ｔは外側に向けて広がる形状にされており、開口部１２ｍとクリップ構造部１４ｋとの着脱が可能になっている。
【００１５】
フェッシャープレート１０を設置する際には、フェッシャープレート部材１２の開口部１２ｍにフェッシャープレート部材１４のクリップ構造部１４ｋを挿入し、クリップ構造部１４ｋが周囲部１２ｎを挟み込みつつ周囲部１２ｎに対して下方に移動するように、フェッシャープレート部材１２とフェッシャープレート部材１４とを上下方向に相対的にスライド移動させる。この結果、開口部１２ｍの開口縁でクリップ構造部１４ｋの移動が規制され、フェッシャープレート部材１２、１４が互いに連結されて横方向に繋がる。
【００１６】
本実施形態により、ボルト、ナットなどの締結具を用いずにフェッシャープレート部材１２とフェッシャープレート部材１４とを互いに横方向に連結させることができるので、据え付けにかかる作業時間が大幅に短縮される。また、どのフェッシャープレート部材がどの位置に配置されるかを据え付け現場で作業員が容易に判断できるので、据え付けにかかる作業時間の更なる短縮化が図られる。
【００１７】
なお、本実施形態では、係止用の開口部１２ｍがフェッシャープレート部材１２に形成され、クリップ構造部１４ｋがフェッシャープレート部材１４に形成された例で説明したが、係止用の開口部１２ｍがフェッシャープレート部材１４に形成され、クリップ構造部１４ｋがフェッシャープレート部材１２に形成されていてもよい。
【００１８】
また、クリップ構造部１４ｋを形成するにあたり、折り曲がり部１４ｃを加工することで折れ曲がり部１４ｃに連続するクリップ構造部１４ｋを形成してもよい。これにより、折れ曲がり部１４ｃに開口１４ｍが形成されるものの、部品点数を削減できるとともにクリップ構造部１４ｋと折れ曲がり部１４ｃとの接続強度を強固なものにすることができる。
【００１９】
また、本実施形態では２列にフェッシャープレート部材１２、１４を連結する例で説明したが、エレベータドアが開いたときの乗降口の幅が広いときは、その幅に応じてフェッシャープレート部材を３列以上に横方向に並べて配置する構成にしてもよい。
【００２０】
また、本実施形態では、フェッシャープレート部材１２の折れ曲がり部１２ｃに開口部１２ｍを形成し、フェッシャープレート部材１４の折れ曲がり部１４ｃにクリップ構造部１４ｋを設けた例で説明したが、図３に示すように、折れ曲がり部１２ｃ、１４ｃをそれぞれ有していないフェッシャープレート部材１２、１４を用い、フェッシャープレート部材１２の側面部１２ｉとフェッシャープレート部材１４の側面部１４ｉとが互いに連結されるように、側面部１２ｉ、１４ｉの一方に開口部１２ｍを形成し、他方にクリップ構造部１４ｋを形成した構成にしてもよい。これにより、同様の効果を奏することができることに加え、クリップ構造部１４ｋを開口部１２ｍに挿入する際にプレート正面側から挿入することができ、据え付けの作業性が更に向上するという効果も奏する。
【００２１】
［第２実施形態］
次に、第２実施形態を説明する。図４は、本実施形態でフェッシャープレート部材の側面部同士を横方向に連結することを説明する拡大斜視図である。図５は、本実施形態でフェッシャープレート部材の側面部同士を横方向に連結したことを説明する拡大正面図である。
【００２２】
本実施形態では、フェッシャープレート部材１２、１４は、何れも、側面部を構成する折れ曲がり部を両側に有する。そして本実施形態では、フェッシャープレート部材１２に形成された開口部２２ｍは、折れ曲がり部１２ｃからフェッシャープレート部材正面側に跨って形成されている。
【００２３】
本実施形態では、クリップ構造部１４ｋを開口部２２ｍに挿入する際にプレート正面から挿入し、クリップ構造部１４ｋが周囲部２２ｎを挟み込みつつ周囲部２２ｎに対して下方に移動するように、フェッシャープレート部材１２とフェッシャープレート部材１４とを上下方向に相対的にスライド移動させて互いに連結させる。従って、第１実施形態で説明したフェッシャープレート１０に比べ、据え付けの作業性が更に向上する。
【００２４】
［第３実施形態］
次に、第３実施形態を説明する。図６は、本実施形態でフェッシャープレート部材の側面部同士を横方向に連結することを説明する拡大斜視図である。
【００２５】
本実施形態では、第２実施形態に比べ、フェッシャープレート部材１２の側面部１２ｉに形成された係止用の開口部３２ｍの形状が異なっており、また、フェッシャープレート部材１４の側面部１４ｉには、クリップ構造部１４ｋに代えて突起部１４ｐが形成されている。
【００２６】
突起部１４ｐの基部１４ｂは、基部１４ｂに連続する主部１４ｊに比べて細幅にされている。そして開口部３２ｍは、基部１４ｂを係止する細幅開口部３２ｍｓを有する。この細幅開口部３２ｍｓは、開口部３２ｍの本体の突起部差し込み方向Ｄの奥側から下方に延び出している。
【００２７】
本実施形態では、プレート正面側から突起部１４ｐを開口部３２ｍに挿入し、基部１４ｂを開口部３２ｍの周囲部３２ｎに当接させつつ、突起部１４ｐを細幅開口部３２ｍｓの下方へ移動させる。この結果、細幅開口部３２ｍｓの下端部に突起部１４ｐが当接して突起部１４ｐの移動が規制され、フェッシャープレート部材１２とフェッシャープレート部材１４とが互いに横方向に連結される。
【００２８】
本実施形態により、第２実施形態と同様、プレート正面側から突起部１４ｐを開口部３２ｍに挿入することができるので、第１実施形態で説明したフェッシャープレート１０に比べ、据え付けの作業性が更に向上する。
【００２９】
［第４実施形態］
次に、第４実施形態を説明する。図７は、本実施形態でフェッシャープレート部材の側面部同士を横方向に連結することを説明する拡大斜視図である。図８は、本実施形態でフェッシャープレート部材の側面部同士を横方向に連結することを説明する拡大平面断面図である。
【００３０】
本実施形態では、フェッシャープレート部材１２の折れ曲がり部１２ｃは、係止用の開口部４２ｍを有し、フェッシャープレート部材１４の側面部１４ｉは、折れ曲がり部１４ｃの裏面側（折れ曲がり部１４ｃの端部側）から乗りかご側に反転して延び出し、フェッシャープレート部材１２の端部（折れ曲がり部１２ｃの端部）が相対的に差し込まれるクリップ構造部１４ｈを有する。そして、クリップ構造部１４ｈのうち最近接部（空間幅がゼロ、若しくは最も短い）を形成している凸部１４ｈｑが開口部４２ｍに係止される構成になっている。
【００３１】
クリップ構造部１４ｈの先端部１４ｈｔ、すなわち凸部１４ｈｑから先端側に連続するクリップ構造部分では、先端部１４ｈｔが外側に向けて広がる形状にされており、開口部４２ｍとクリップ構造部１４ｈとの着脱が可能になっている。
【００３２】
また、開口部４２ｍとクリップ構造部１４ｈとは、何れも、上下方向に２つ列べて配置されている。
【００３３】
また、開口部４２ｍの幅ｗは、第１実施形態で説明した開口部１２ｍに比べて狭くしており、フェッシャープレート部材１２、１４が互いに連結されたときの前後方向の相対移動が更に限定されている。
【００３４】
本実施形態により、第１実施形態に比べて上下方向および前後方向の拘束条件が増え、フェッシャープレート部材１２、１４を互いにより強固に連結して固定することができる。
【００３５】
［第５実施形態］
次に、第５実施形態を説明する。図９は、本実施形態でフェッシャープレート部材の側面部同士を横方向に連結することを説明する拡大斜視図である。図１０は、本実施形態でフェッシャープレート部材の側面部同士を横方向に連結したことを説明する拡大平面断面図である。
【００３６】
本実施形態のフェッシャープレートは、エレベータの乗場敷居とその下方のヘッダープレートとの間に配置され、互いに隣接する側面部同士が連結されることで横方向に繋がるフェッシャープレート部材１２、１４と、フェッシャープレート部材１２、１４を横方向に連結するクリップ部材５０と、からなる。
【００３７】
フェッシャープレート部材１２、１４は、それぞれ、互に隣接する側面部１２ｉ、１４ｉに係止用の開口部５２ｍ、５４ｍを有する。
【００３８】
クリップ部材５０は、一方のフェッシャープレート部材１２の折れ曲がり部１２ｃの内側（すなわち挟持外側）から当接する一方側の延出し部５０ａと、他方のフェッシャープレート部材１４の折れ曲がり部１４ｃの内側（すなわち挟持外側）から当接する他方側の延出し部５０ｂと、延出し部５０ａおよび延出し部５０ｂの基端側に連続し、フェッシャープレート据え付け時に押し込み力を受ける連続部５０ｃと、で構成される。
【００３９】
一方のフェッシャープレート部材１２ｃの側面部１２ｉは、一方側の延出し部５０ａが乗りかご側から挿通され得る一方側の開口部５２ｍと、開口部５２ｍから下方へ延び出す一方側の切欠部５２ｍｓとを備える。他方のフェッシャープレート部材の側面部１４ｉは、他方側の延出し部５０ｂが乗りかご側から挿通され得る他方側の開口部５４ｍと、開口部５４ｍから下方へ延び出す他方側の切欠部５４ｍｓとを備える。
【００４０】
切欠部５２ｍｓ、５４ｍｓは、何れもスリット状であり、それぞれ、折り曲がり部１２ｃ、１４ｃの基端側から所定の幅で形成されている。
【００４１】
この構成により、開口部５２ｍ、５４ｍに差し込んだクリップ部材５０は、切欠部５２ｍｓ、５４ｍｓを経由して下方の収納位置にスライド移動可能となっている。
【００４２】
本実施形態では、フェッシャープレート部材１２、１４を互いに連結させる際、クリップ部材５０を開口部５２ｍ、５４ｍに差し込んで押し込み、下方へスライド移動させればよいので、フェッシャープレート部材１２、１４を上下方向に相対移動させる必要がない。従って、作業スペースを小さくすることができ、しかも、作業員の負荷が減り、作業時間の短縮化を図ることができる。
【００４３】
以上説明したこれらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４４】
１０…フェッシャープレート、１２…フェッシャープレート部材、１２ｉ…側面部、１４ｉ…側面部、１２ｃ…折れ曲がり部、１２ｎ…周囲部、１２ｆ…正面部、１２ｍ…開口部、１４ｃ…折れ曲がり部、１４…フェッシャープレート部材、１４ｋ…クリップ構造部、１４ｐ…突起部、１４ｂ…基部、１４ｊ…主部、１４ｈ…クリップ構造部、１４ｈｑ…凸部、２２ｍ…開口部、２２ｎ…周囲部、３２ｍ…開口部、３２ｍｓ…細幅開口部、３２ｎ…周囲部、４２ｍ…開口部、５０…クリップ部材、５０ａ…延出し部（一方側延出し部）、５０ｂ…延出し部（他方側延出し部）、５０ｃ…連続部、５２ｍ…開口部（一方側開口部）、５２ｍｓ…切欠部（一方側切欠部）、５４ｍ…開口部（他方側開口部）、５４ｍｓ…切欠部（他方側切欠部）、Ｔ…乗場敷居、Ｈ…乗場ヘッダー
【図１】
0006054436.tif 000002
【図２】
0006054436.tif 000003
【図３】
0006054436.tif 000004
【図４】
0006054436.tif 000005
【図５】
0006054436.tif 000006
【図６】
0006054436.tif 000007
【図７】
0006054436.tif 000008
【図８】
0006054436.tif 000009
【図９】
0006054436.tif 000010
【図１０】
0006054436.tif 000011